【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
中心軸を中心に回転するように構成されたハブと、
前記ハブから半径方向外向きに延在し、前記中心軸の回りに配置された複数の翼において、前記翼のそれぞれが、
基部、
先端部、
前記基部と前記先端部との間の前縁、
および前記基部と前記先端部との間の後縁を含む複数の翼とを備える軸流ファンであって、
前記翼のそれぞれが、前記翼の先端部と前記中心軸との間に翼半径を規定し、
前記翼のそれぞれが、前記翼半径の外側２０％内において、減少するスキュー角を規定し、
翼ピッチ対平均翼ピッチの比が、半径方向に、前記翼半径の外側２０％内における最低値から前記翼半径の外側２０％内における最高値まで増加し、
前記最高値が前記最低値よりも約３０％から約７５％大きい軸流ファン。
【請求項２】
前記翼ピッチ対平均翼ピッチの比が、前記翼半径の外側１０％内における最低値から前記翼半径の外側１０％内における最高値まで増加し、前記翼半径の外側１０％内における前記最高値が、前記翼半径の外側１０％内における前記最低値よりも約２０％から約６０％大きい、請求項１に記載の軸流ファン。
【請求項３】
前記翼の前記スキュー角が、前記翼半径の外側２０％にわたって連続的に減少する、請求項１に記載の軸流ファン。
【請求項４】
前記翼のそれぞれが、前記翼半径の外側２０％内において、増加する傾斜を規定する、請求項１に記載の軸流ファン。
【請求項５】
前記傾斜が、前記翼半径の外側２０％にわたって連続的に増加する、請求項４に記載の軸流ファン。
【請求項６】
傾斜対最大翼直径の比が無次元の翼傾斜を含み、前記翼半径の外側２０％にわたる無次元の半径に対する前記無次元の翼傾斜の変化率が、約０．０８から約０．１８である、請求項４に記載の軸流ファン。
【請求項７】
囲い板と、
前記囲い板に連結された原動機において、中心軸を中心に回転可能な出力軸を含む原動機と、
前記中心軸を中心に回転するように前記出力軸に連結されたハブ、
ならびに前記ハブから半径方向外向きに延在し、前記中心軸の回りに配置された複数の翼において、前記翼のそれぞれが、
基部、
先端部、
前記基部と前記先端部との間の前縁、
および前記基部と前記先端部との間の後縁を含む複数の翼を含む軸流ファンとを備える軸流ファン組立体であって、
前記翼のそれぞれが、前記翼の先端部と前記中心軸との間に翼半径を規定し、
前記翼のそれぞれが、前記翼半径の外側２０％内において、減少するスキュー角を規定し、
翼ピッチ対平均翼ピッチの比が、半径方向に、前記翼半径の外側２０％内における最低値から前記翼半径の外側２０％内における最高値まで増加し、
前記最高値が前記最低値よりも約３０％から約７５％大きい軸流ファン組立体。
【請求項８】
前記翼ピッチ対平均翼ピッチの比が、前記翼半径の外側１０％内における最低値から前記翼半径の外側１０％内における最高値まで増加し、前記翼半径の外側１０％内における前記最高値が、前記翼半径の外側１０％内における前記最低値よりも約２０％から約６０％大きい、請求項７に記載の軸流ファン組立体。
【請求項９】
前記翼の前記スキュー角が、前記翼半径の外側２０％にわたって連続的に減少する、請求項７に記載の軸流ファン組立体。
【請求項１０】
前記翼のそれぞれが、前記翼半径の外側２０％内において、増加する傾斜を規定する、請求項７に記載の軸流ファン組立体。
【請求項１１】
前記傾斜が、前記翼半径の外側２０％にわたって連続的に増加する、請求項１０に記載の軸流ファン組立体。
【請求項１２】
傾斜対最大翼直径の比が無次元の翼傾斜を含み、前記翼半径の外側２０％にわたる無次元の半径に対する前記無次元の翼傾斜の変化率が、約０．０８から約０．１８である、請求項１０に記載の軸流ファン組立体。
【請求項１３】
前記ファンが、前記翼の前記先端部に連結された実質的に円形の帯部を含み、前記囲い板が、前記中心軸に芯合わせされた実質的に環形の出口鐘状部を含む、請求項７に記載の軸流ファン組立体。
【請求項１４】
前記帯部から半径方向外向きに配置され、前記出口鐘状部に隣接する複数の漏れ固定子をさらに備え、前記漏れ固定子が前記中心軸の回りに配置された、請求項１３に記載の軸流ファン組立体。
【請求項１５】
前記出口鐘状部が、半径方向最も内側の表面と、半径方向最も外側の表面と、前記半径方向最も内側の表面に隣接する端面とを含み、前記漏れ固定子が、前記半径方向最も内側の表面と前記半径方向最も外側の表面との間に配置され、前記帯部が、軸方向に延在する半径方向最も内側の表面と、軸方向に延在する半径方向最も外側の表面と、前記軸方向に延在する半径方向最も内側の表面および前記軸方向に延在する半径方向最も外側の表面に隣接する端面とを含み、前記帯部および前記出口鐘状部のそれぞれの端面が、軸方向の間隙だけ間隔を置かれ、最大翼直径に対する前記軸方向の間隙の比が、約０から約０．０１であり、前記帯部の前記軸方向に延在する半径方向最も外側の表面が、半径方向の間隙だけ、前記出口鐘状部の前記半径方向最も内側の表面の径方向内向きに間隔を置かれ、前記最大翼直径に対する前記半径方向の間隙の比が、約０．０１から約０．０２である、請求項１４に記載の軸流ファン組立体。
【請求項１６】
前記ハブが、ハブ半径（Ｒｈｕｂ）を規定する半径方向最も外側の表面を含み、前記帯部の前記軸方向に延在する半径方向最も内側の表面が、帯半径（Ｒｂａｎｄ）を規定し、前記出口鐘状部の前記半径方向最も外側の表面が、出口半径（Ｒｏｕｔ）を規定し、前記出口鐘状部が、下流の妨害物からある長さ寸法（Ｌ）だけ軸方向に間隔を置かれ、妨害係数が式
【数１】
2009539033.tif 000001
によって定義され、
前記最大翼直径に対する前記軸方向の間隙の比が約０から約０．０１であり、前記妨害係数が約０．８３より大きいまたは約０．８３に等しいとき、前記最大翼直径に対する前記半径方向の間隙の比が約０．０１から約０．０２である、請求項１５に記載の軸流ファン組立体。
【請求項１７】
前記出口鐘状部が、半径方向最も内側の表面と、半径方向最も外側の表面と、前記半径方向最も内側の表面に隣接する端面とを含み、前記漏れ固定子が、前記半径方向最も内側の表面と前記半径方向最も外側の表面との間に配置され、前記帯部が、軸方向に延在する半径方向最も内側の表面と、軸方向に延在する半径方向最も外側の表面と、前記軸方向に延在する半径方向最も内側の表面および前記軸方向に延在する半径方向最も外側の表面に隣接する端面とを含み、前記帯部の前記軸方向に延在する半径方向最も外側の表面が、半径方向の間隙だけ、前記外側鐘状部の前記半径方向最も内側の表面の半径方向外向きに間隔を置かれ、最大翼直径に対する前記半径方向の間隙の比が、約０から約０．０１であり、前記帯部および前記出口鐘状部のそれぞれの前記端面が、軸方向の間隙だけ間隔を置かれ、前記最大翼直径に対する前記軸方向の間隙の比が約０．０１から約０．０２５である、請求項１４に記載の軸流ファン組立体。
【請求項１８】
前記ハブが、ハブ半径（Ｒｈｕｂ）を規定する半径方向最も外側の表面を含み、前記帯部の前記軸方向に延在する半径方向最も内側の表面が、帯半径（Ｒｂａｎｄ）を規定し、前記出口鐘状部の前記半径方向最も外側の表面が、出口半径（Ｒｏｕｔ）を規定し、前記出口鐘状部が、下流の妨害物からある長さ寸法（Ｌ）だけ軸方向に間隔を置かれ、妨害係数が式
【数２】
2009539033.tif 000002
によって定義され、
前記妨害係数が約０．８３より小さいとき、前記最大翼直径に対する前記半径方向の間隙の前記比が約０から約０．０１であり、前記最大翼直径に対する前記軸方向の間隙の前記比が約０．０１から約０．０２５である、請求項１７に記載の軸流ファン組立体。
【請求項１９】
前記翼ピッチ対平均翼ピッチの比が、前記翼半径の外側２０％内において減少しない、請求項１に記載の軸流ファン。
【請求項２０】
前記翼ピッチ対平均翼ピッチの比が、前記翼半径の外側２０％内において減少しない、請求項７に記載の軸流ファン。